(57)【要約】【課題】缶の取り出しが容易なマルチパック及びその梱包体を提供する。【解決手段】上板１、一対の側板２及び底板３により複数本の缶Ｃを包み込み、端面開口部から缶Ｃを抜け止めしたマルチパックにおいて、上板１に端縁から切目を入れて捲り片８を形成し、捲り片８を捲ると、上板１と缶Ｃの上端面の間に指が入るようにする。また、マルチパックＰを詰める外箱Ｂに、捲り片８に合致する指入部２７を形成し、マルチパックＰを外箱Ｂに詰めたままでも、指入部２７から捲り片８を捲ることにより、缶Ｃを直接取り出せるようにする。【選択図】  図３
2004323075.tif 000002
【特許請求の範囲】
【請求項１】
上板、一対の側板及び底板により複数本の缶を包み込み、端面開口部から缶を抜け止めしたマルチパックにおいて、上板に端縁から切目を入れて捲り片を形成したことを特徴とする紙製マルチパック。
【請求項２】
前記捲り片の基端に罫線を入れたことを特徴とする請求項１に記載の紙製マルチパック。
【請求項３】
前記捲り片の側縁をなす切目から上板切断用のジッパを設けたことを特徴とする請求項１又は２に記載の紙製マルチパック。
【請求項４】
マルチパックを段ボールの外箱に詰めた梱包体において、外箱の上壁とその端縁から延びるフラップとの稜部に切目を入れて指入部を設け、この指入部とマルチパックの上板端縁に形成された指入部の位置が合致するようにしたことを特徴とするマルチパック梱包体。
【発明の詳細な説明】
【０００１】
【発明の属する技術分野】
この発明は、ビール等の飲料缶を集合包装する紙製マルチパック及びこれを段ボールの外箱に詰めた梱包体に関するものである。
【０００２】
【従来の技術】
一般に、ビールや発泡酒等の飲料缶の梱包体として、図６に示すように、缶Ｃを６本ずつ板紙製のマルチパックＰで集合包装し、このマルチパックＰを段ボールの外箱Ｂに４個詰めたものが採用されている。マルチパックＰは、上板５１、一対の側板５２及び底板５３で６本の缶Ｃを包み込み、両端開口部から缶Ｃを抜け止めしたものである。
【０００３】
【発明が解決しようとする課題】
ところで、上記のような梱包体では、外箱Ｂから取り出したマルチパックＰで包装されたまま、マルチパックＰから缶Ｃを取り出す場合や、外箱Ｂから缶Ｃを直接取り出す場合には、マルチパックＰの上板５１と缶Ｃの上端面の間に指が入らず、缶Ｃを取り出しにくいという問題がある。
【０００４】
そこで、この発明は、缶の取り出しが容易なマルチパック及びその梱包体を提供しようとするものである。
【０００５】
【課題を解決するための手段】
上記課題を解決するため、この発明は、上板、一対の側板及び底板により複数本の缶を包み込み、端面開口部から缶を抜け止めしたマルチパックにおいて、上板に端縁から切目を入れて捲り片を形成し、捲り片を捲ると、上板と缶の上端面の間に指が入るようにしたのである。
【０００６】
なお、前記捲り片の基端に罫線を入れると、捲り片が捲りやすくなり、前記捲り片の側縁をなす切目から上板切断用のジッパを設けると、マルチパックの解体が容易になる。
【０００７】
また、マルチパックを段ボールの外箱に詰めた梱包体において、外箱の上壁とその端縁から延びるフラップとの稜部に切目を入れて指入部を設け、この指入部とマルチパックの上板端縁に形成された指入部の位置を合致させると、マルチパックを外箱に詰めたままでも、缶を直接取り出すことができる。
【０００８】
【発明の実施の形態】
以下、この発明の実施形態を添付図面に基づいて説明する。
【０００９】
図１に示すように、この発明に係るマルチパックＰは、上板１の両側に順次連設した側板２及び底板３で６本の缶Ｃを二列に配列して包み込み、底板３同士をロック４で係合させると共に、側板２から延出した押込片５を缶Ｃの外周と側板２の間に押し込み、押込片５と上板１、底板３とを繋ぐコーナー片６により、端面開口部から缶Ｃを抜け止めしたものとされている。
【００１０】
上板１には、各端縁部にそれぞれ一方及び他方の列の缶Ｃに対応する位置から切目７を入れて捲り片８が形成され、その基端には罫線９が入れられている。また、各切目７を始端として上板１の反対側の端縁側へ向かう切断用のジッパ１０と、運搬用の２個の指入穴１１とが設けられている。
【００１１】
このようなマルチパックＰでは、図２に示すように、捲り片８を罫線９に沿って捲ると、上板１と缶Ｃの上端面の間に指を入れることができるので、マルチパックＰを解体しなくても、缶Ｃを端面開口部から容易に取り出すことができる。
【００１２】
また、マルチパックＰを解体して缶Ｃを取り出す場合には、捲り片８を摘んで捻るよう引き上げることにより、切目７に連続するジッパ１０に沿って上板１が切断される。なお、ジッパ１０は鉤形の切目が一列に並んだ片ジッパとされているので、解体時に帯状の切取ゴミが発生することがない。
【００１３】
ところで、このマルチパックＰは、図３に示すように、段ボールの外箱Ｂに４個隙間なく詰められる。外箱Ｂは、上壁２１、各一対の側壁２２及び底壁２３でマルチパックＰを包み込み、側壁２２と上壁２１及び底壁２３とから封緘用のフラップ２４，２５をそれぞれ延出したものとされている。
【００１４】
この上壁２１とフラップ２５の稜部には、２本の切目２６の間に指入部２７が設けられ、切目２６は上壁２１側で外側に屈曲している。そして、４個のマルチパックＰを外箱Ｂに詰めた状態において、指入部２７とマルチパックＰの捲り片８の位置が合致するようになっている。
【００１５】
このような梱包体では、マルチパックＰを外箱Ｂに詰めたままでも、フラップ２４，２５を開いて、指入部２７を上方へ折り曲げることにより、図４に示すように、マルチパックＰの捲り片８を捲ることができるので、缶Ｃの上端面に指を掛けて、缶Ｃを外箱Ｂから直接取り出すことができる。
【００１６】
このとき、指入部２７の幅広となった両側部分がフラップ２５の切目２６に臨む部分に係合し、フラップ２５の戻りが防止されるので、缶Ｃを取り出す際、フラップ２５に煩わされることがない。
【００１７】
なお、捲りに伴い指入部を形成する捲り片８に代えて、図５に示すように、マルチパックＰの上板１の端縁に、例えばＶ字状の切欠部８ａを指入部として形成し、この切欠部８ａと外箱Ｂの指入部２７の位置が合致するようにしても、缶Ｃの上端面に指を掛けて、缶Ｃを外箱Ｂから直接取り出すことができる。
【００１８】
また、指入部２７は、必ずしも上記のようにフラップ２５をロックできる形式のものでなくてもよく、外箱Ｂの端縁部に、マルチパックＰの捲り片８や切欠部８ａに合致する開口部が形成されるものであれば、他の形態であってもよい。
【００１９】
【発明の効果】
以上のように、この発明に係るマルチパックでは、上板に端縁から切目を入れて捲り片を形成したので、ジッパを切断して解体することなく、この捲り片を捲ることにより、上板と缶の上端面の間に指を入れて、缶を端面開口部から容易に取り出すことができる。
【００２０】
また、マルチパックを詰める外箱に、マルチパックの上板端縁に形成された指入部に合致する指入部を形成すると、マルチパックを外箱に詰めたままでも、指入部から缶の上端面に指を掛けて、缶を直接取り出すことができる。
【図面の簡単な説明】
【図１】この発明に係るマルチパックの包装状態を示す斜視図
【図２】同上の缶の取り出し過程を示す斜視図
【図３】同上の外箱による梱包体の開口状態を示す斜視図
【図４】同上の缶の取り出し過程を示す一部拡大斜視図
【図５】他のマルチパックの外箱による梱包体の開口状態を示す斜視図
【図６】従来のマルチパックの外箱による梱包体の開口状態を示す斜視図
【符号の説明】
Ｐ  マルチパック
１  上板
２  側板
３  底板
４  ロック
５  押込片
６  コーナー片
７  切目
８  捲り片
８ａ  切欠部
９  罫線
１０  ジッパ
１１  指入穴
Ｂ  外箱
２１  上壁
２２  側壁
２３  底壁
２４，２５  フラップ
２６  切目
２７  指入部
【図１】
2004323075.tif 000003
【図２】
2004323075.tif 000004
【図３】
2004323075.tif 000005
【図４】
2004323075.tif 000006
【図５】
2004323075.tif 000007
【図６】
2004323075.tif 000008